(57)【要約】【目的】 携帯電話番号にかかった電話をＩＰ電話番号に転送することにより、インターネットを介して電話と同時に電子メールやホームページの閲覧、データのダウンロードを可能にする「車載機器及びその通信方法」を提供する。【構成】携帯電話機を介してインターネットに接続すると共に、ＩＰ電話を可能にするＩＰ電話アプリケーションが搭載された車載機器の通信方法において、携帯電話機と車載機器が通信可能になったか監視し、通信可能になったとき、携帯電話番号への電話をＩＰ電話番号に転送するように電話網に登録し、電話網は携帯電話番号への電話があったとき該電話を登録されているＩＰ電話番号に転送する。【選択図】        図１
2005123696.tif 000002
【特許請求の範囲】
【請求項１】
携帯電話機を介してインターネットに接続すると共に、ＩＰ電話を可能にするＩＰ電話アプリケーションが搭載された車載機器の通信方法において、
携帯電話機と車載機器が通信可能になったか監視し、
通信可能になったとき、携帯電話番号への電話をＩＰ電話番号に転送するように電話網に登録する、
ことを特徴とする車載機器の通信方法。
【請求項２】
電話網は、前記携帯電話番号への電話があったとき該電話を前記登録されているＩＰ電話番号に転送する、
ことを特徴とする請求項１記載の車載機器の通信方法。
【請求項３】
携帯電話機を介してインターネットに接続すると共に、ＩＰ電話を可能にするＩＰ電話アプリケーションが搭載された車載機器において、
携帯電話機と車載機器が通信可能になったことを検出する手段、
通信可能になったとき、携帯電話番号への電話をＩＰ電話番号に転送するように電話網に登録する手段、
を有することを特徴とする車載機器。
【発明の詳細な説明】
【技術分野】
【０００１】
本発明は車載機器及びその通信方法に係わり、特に、携帯電話番号にかかった電話をＩＰ電話番号に転送することにより、インターネットを介して電話と同時に電子メールやホームページの閲覧、情報のダウンロード等を可能にする車載機器及びその通信方法に関する。
【背景技術】
【０００２】
自動車電話は自動車に車載機を搭載し、該車載機に携帯電話機を接続してハンズフリーで電話するようになっている。また、最近では車載機と携帯電話機間をブルーツースなどで無線で接続し携帯電話機を車載機に載せなくてもハンズフリーで電話できるようになっている。
ところで、車載機は技術の進歩により高機能化しており、上記自動車電話機能に加えてパソコンと同等の機能を備え、インターネットに接続して電子メールやホームページの閲覧、各種情報(地図データ、音楽データ)のダウンロードなどが可能になっている。また、インターネット電話アプリケーション（ＩＰ電話アプリ）を搭載することによりＩＰ電話も行なえるようになっている。ＩＰ電話はＩＰ網を使った電話であり(たとえば特許文献1参照)、モデムを介してＩＰ網と一般加入電話網に接続し、ＩＰ電話への通話はＩＰ網を介して行ない、119、110、104、携帯電話への通話は一般加入電話網を介して行なうものである。
【特許文献１】特開２０００−１３８７５２号公報参照
【発明の開示】
【発明が解決しようとする課題】
【０００３】
前述のように、自動車内に携帯電話機を持ち込んで車載機に接続すると、携帯電話番号を用いてハンズフリーで電話することができる。しかし、携帯電話で電話中になると、車載機はインターネットに接続して電子メールやホームページの閲覧、各種情報(地図データ、音楽データ)のダウンロードなどが不可能となる。
自分が電話をかけるときにＩＰ電話番号を用いて電話すれば、ＩＰ電話で通話しながらインターネットサービス毎の通信が可能となって電子メールやホームページの閲覧、各種情報(地図データ、音楽データ)のダウンロードなどができる。しかし、携帯電話番号に着信して電話中なると、車載機は同時にインターネットに接続することが不可能となり、電子メールやホームページの閲覧、各種情報(地図データ、音楽データ)のダウンロードなどができなくなる。従来、かかる問題を解決する技術は提案されていなかった。
したがって、本発明の目的は、車載機に接続した携帯電話機に電話がかかってきたとき、通話と同時に各種インターネットサービスを受けられるようにすることである。
【課題を解決するための手段】
【０００４】
本発明は、携帯電話機を介してインターネットに接続すると共に、ＩＰ電話を可能にするＩＰ電話アプリケーションが搭載された車載機器の通信方法であり、携帯電話機と車載機器が通信可能になったか監視し、通信可能になったとき、携帯電話番号への電話をＩＰ電話番号に転送するように電話網に登録する。電話網は、前記携帯電話番号への電話があったとき該電話を前記登録されているＩＰ電話番号に転送する。
【発明の効果】
【０００５】
本発明によれば、車載機に接続した携帯電話機に電話がかかってきても、ＩＰ電話番号に転送することにより発呼者との通話を可能とすると共に、同時に各種インターネットサービス（電子メールやホームページの閲覧、地図データ、音楽データ等のダウンロード）が可能となった。
【発明を実施するための最良の形態】
【０００６】
携帯電話機を介してインターネットに接続すると共に、ＩＰ電話を可能にするＩＰ電話アプリケーションが搭載された車載機器の通信方法において、携帯電話機と車載機器が通信可能になったか監視し、通信可能になったとき、携帯電話番号への電話をＩＰ電話番号に転送するように電話網に登録し、電話網は携帯電話番号への電話があったとき該電話を前記登録されているＩＰ電話番号に転送する。このように携帯電話番号にかかった電話をＩＰ電話番号に転送するため、インターネットを介して電話と同時にメールやホームページの閲覧、情報のダウンロードなどが可能となる。
【実施例１】
【０００７】
図１は本発明の車載機の構成図であり、車載機１０は自動車電話のハンズフリー機能に加えてパソコンと同等の機能を備え、携帯電話機２０を介してインターネットに接続して電子メールやホームページの閲覧、各種情報(地図データ、音楽データ)のダウンロード、ＩＰ電話などが可能になっている。
車載機１０の載置部１１には携帯電話機２０が載置されるようになっており、検出部１２は携帯電話機２０が載置されたことを検出して制御部１３に入力する。通信IF部１４は、携帯電話機２０を介してＩP網、電話網と接続して通信できるようになっており、データは制御部１３と、音声信号はスピーカ／マイク１５と授受するようになっている。スピーカ／マイク１５は制御部１３の制御で音声を入出力してハンズフリー通話を可能にし、メモリ１６はインターネット閲覧アプリ、電子メールアプリ、ＩＰ電話アプリなどのソフトウェアを記憶している。車載機１０には電源供給部３０よりパワーが供給されるようになっており、イグニッションスイッチをオンすると車載機１０に電源が供給されて通信が可能となる。なお、電源が供給されたことは電源供給検出部１７より制御部１３に入力される。
【０００８】
図２は本発明の通信方法のシーケンス例、図３はその説明図である。
車載機１０は電源が供給され、かつ、携帯電話機２０が接続されたことを検出すると、携帯電話機２０を介してＩＰ網４０に対してデータ通信モードで接続処理を行なう(Ｓ１)。接続処理によりＩＰ電話が可能になると、携帯電話機２０に転送登録実行を依頼する（Ｓ２）。これにより、携帯電話機２０は一般電話網５０に対して携帯電話機の電話番号と車載機１０のＩＰ電話番号を送って、転送登録する（Ｓ３）。すなわち、携帯電話番号への電話をＩＰ電話番号へ転送するよう一般電話網５０に対して設定変更の通知をする。一般電話網５０は転送の設定を変更すれば確認応答を車載機１０に返す（Ｓ４）。
以後、一般電話網５０の制御で転送が行なわれる。すなわち、一般電話網５０は携帯電話機２０の電話番号に着信すると、転送登録されているか調べ、転送登録されていれば、ＩＰ網を介してＩＰ電話番号に転送する(Ｓ５)。なお、転送登録されていなければ、転送することなく携帯電話機２０の電話番号に着信する。図３の例では携帯電話番号090-2222-2222への電話はＩＰ電話番号050-1111-1111に転送される。
【０００９】
なお、上記シーケンスにおいてＩＰ電話番号は予め携帯電話機２０に記憶しておいてもよいし、シーケンスＳ２において車載機１０より携帯電話機２０に通知するようにしてもよい。
以上のように携帯電話機２０の電話番号にかかってきた電話をＩＰ電話番号に着信するように転送して、ＩＰ電話により通話するようにしたから、車載機１０は電話しながら他のサービス、たとえば電子メールやホームページの閲覧、情報のダウンロードなどができる。
【００１０】
図４は外部の携帯電話機６０から車載機１０に接続された携帯電話機２０の電話番号(=090-2222-2222)にかかってきた電話を、電話網５０でＩＰ電話番号(050-1111-1111)に転送してＩＰ電話で通話するようにし、該ＩＰ電話の通話と同時に車載機１０が所定サイト７０から音楽データをダウンロードしている例である。
【００１１】
図５は車載機１０に携帯電話機２０が未接続状態の時の着信ルート、図６は車載機１０に携帯電話機２０が接続状態の時の着信ルートである。未接続状態において携帯電話機６０から携帯電話機２０に発呼すると、図５に示すように、携帯電話機６０→交換機９０ａ→一般電話網５０→移動網８０内の交換機９０ｂ→携帯電話機２０のルートで携帯電話番号に着信する。一方、接続状態において携帯電話機６０から携帯電話機２０に発呼すると、図６に示すように、携帯電話機６０→交換機９０ａ→一般電話網５０→ＩＰ網４０→移動網８０内の交換機９０ｂ→携帯電話機２０→車載機１０のルートでＩＰ電話番号に着信する。  
【産業上の利用可能性】
【００１２】
以上本発明によれば、車載機に接続された携帯電話機の番号にかかった電話をＩＰ電話番号に転送するようにしたから、電話をしながら同時に電子メールやホームページの閲覧、情報のダウンロード等ができ、インターネットサービスの分野において利用することができる。
【図面の簡単な説明】
【００１３】
【図１】本発明の車載機の構成図である。
【図２】本発明の通信方法のシーケンス例である。
【図３】本発明の通信方法の説明図である。
【図４】本発明の利点説明図である。
【図５】車載機に携帯電話機が未接続状態の時の着信ルートである。
【図６】車載機に携帯電話機が接続状態の時の着信ルートである。
【符号の説明】
【００１４】
１０  車載機
１１  載置部
１２  携帯電話機検出部
１３  制御部
１４  通信IF部
１５  スピーカ／マイク
１６  メモリ
１７  電源供給検出部
２０  携帯電話機
３０  電源供給部
４０  IP網
５０  一般電話網
【図１】
2005123696.tif 000003
【図２】
2005123696.tif 000004
【図３】
2005123696.tif 000005
【図４】
2005123696.tif 000006
【図５】
2005123696.tif 000007
【図６】
2005123696.tif 000008